【手続補正書】
【提出日】令和2年10月9日(2020.10.9)
【手続補正１】
【補正対象書類名】特許請求の範囲
【補正対象項目名】全文
【補正方法】変更
【補正の内容】
【特許請求の範囲】
【請求項１】
色素親和性基を有するワックス系粉末状加工添加剤、色素親和性基を有する酸性ポリエステル系添加剤、高い色素親和性の基で変性されたポリエーテル、スチレンとポリエーテルのコポリマー、マレイン酸のアミド、両親媒性コポリマー、高い色素親和性の基を有する変性ポリアクリレート、ポリエステル系ブロックコポリマー、高分子量ポリウレタンポリマー、ポリエステル−ポリアミン−ポリオレフィンターポリマー、および、エポキシ基またはウレタン基を有する変性ポリシロキサンからなる群から選択される少なくとも１種の分散湿潤剤であって、５０〜１５０℃の範囲の融点を有する前記少なくとも１種の分散湿潤剤と、
無機顔料、有機顔料、カーボンブラックおよび染料からなる群から選択される少なくとも１種の色素添加剤とを含有する色素製剤：
ここで、前記色素製剤中の前記少なくとも１種の色素添加剤の粒径Ｄ５０（個数基準）は０．５〜３．５μｍの範囲にあり、かつ
前記色素製剤は、前記色素製剤の総重量に対し、少なくとも６０重量％の前記少なくとも１種の色素添加剤を含有する。
【請求項２】
前記色素製剤が３％未満の水を含む、請求項１に記載の色素製剤。
【請求項３】
前記色素製剤が、ａ）３．５バールの圧力下、乾燥状態においてレーザー粒径分析器で測定した場合に、Ｄ２０が０．８ミクロン以上でありかつＤ９０が５ミクロン以下である粒子を有する自由流動性粉末、または、ｂ）３．５バールの圧力下、乾燥状態においてレーザー粒径分析器で測定した場合に、Ｄ２０が１０ミクロン以上でありかつＤ９０が１０００ミクロン以下である顆粒を有するマイクロ顆粒の形態である、請求項１または２に記載の色素製剤。
【請求項４】
前記色素製剤中の前記少なくとも１種の色素添加剤の平均粒径Ｄ９０（個数基準）が０．９〜４μｍの範囲にある、請求項１〜３のいずれか１項に記載の色素製剤。
【請求項５】
前記色素製剤が、ポリエチレン系ポリマー、ポリスチレン、ＳＡＮ、ＨＩＰＳ、ＡＢＳ、ＡＳＡ、塩化ビニルポリマー、ポリアクリレート、ポリアミド、ポリカーボネート、ポリエステル、ポリウレタン、および、熱可塑性エラストマーから選択される少なくとも３種のポリマーと混和性である、請求項１〜４のいずれか１項に記載の色素製剤。
【請求項６】
ポリエチレン系ポリマー、ポリスチレン、ＳＡＮ、ＨＩＰＳ、ＡＢＳ、ＡＳＡ、塩化ビニルポリマー、ポリアクリレート、ポリアミド、ポリカーボネート、ポリエステル、ポリウレタンおよび熱可塑性エラストマーから選択されるポリマーを用いた、前記色素製剤の混合物であって、０．５〜１重量％の色素添加剤を含むような前記混合物が、同じ組成を有するが各成分を個々に混合機に加えかつ当該成分を混合することによって調製された混合物よりも、少なくとも２０％大きい着色力を示す、請求項１〜５のいずれか１項に記載の色素製剤。
【請求項７】
請求項１〜６のいずれか１項に記載の色素製剤を２種以上乾式混合することによって得られうる、所望の色調の複数の色素製剤を含む色付けシステム。
【請求項８】
プラスチック材料を着色するための、請求項１〜６のいずれか１項に記載の色素製剤の使用。
【請求項９】
請求項１〜６のいずれか１項に記載の色素製剤とプラスチック材料とを含む着色組成物。
【請求項１０】
前記着色組成物が、０．５〜１重量％の色素添加剤を含み、および、同じ組成を有するが各成分を個々に混合機に加えかつ当該成分を均一な混合物に混合することによって調製された混合物よりも、少なくとも２０％大きい着色力を示す、請求項９に記載の着色組成物。
【請求項１１】
下記を含む色素製剤の製造方法：
色素親和性基を有するワックス系粉末状加工添加剤、色素親和性基を有する酸性ポリエステル系添加剤、高い色素親和性の基を有する変性ポリエーテル、スチレンとポリエーテルのコポリマー、マレイン酸のアミド、両親媒性コポリマー、高い色素親和性の基を有する変性ポリアクリレート、ポリエステル系ブロックコポリマー、高分子量ポリウレタン、ポリエステル−ポリアミン−ポリオレフィンターポリマー、および、エポキシ基またはウレタン基を有する変性ポリシロキサンからなる群から選択される少なくとも１種の分散湿潤剤であって、５０〜１５０℃の範囲の融点を有する前記少なくとも１種の分散湿潤剤と、無機顔料、有機顔料、カーボンブラックおよび染料からなる群から選択される少なくとも１種の色素添加剤とを、少なくとも２つのローターを有する粉砕機に導入すること；
前記粉砕機の平均周速度が５〜５０ｍ／ｓの条件下で、前記色素製剤を形成するために前記分散湿潤剤と前記少なくとも１種の色素添加剤とを互いに混合しおよび粉砕すること；および
少なくとも６０重量％の前記少なくとも１種の色素添加剤を含む前記色素製剤として、前記色素製剤を回収すること。
【請求項１２】
前記混合および粉砕が１０〜９０分間行われる、請求項１１に記載の方法。
【請求項１３】
前記混合および粉砕の間に、分散湿潤剤と色素添加剤との混合物によって達成される最高温度が５０〜１５０℃である、請求項１１または１２に記載の方法。
【請求項１４】
回収された前記色素製剤中の前記少なくとも１種の色素添加剤の粒径Ｄ９０（個数基準）が０．９〜４μｍの範囲にある、請求項１１〜１３のいずれか１項に記載の方法。
【請求項１５】
回収された前記色素製剤中の前記少なくとも１種の色素添加剤の粒径Ｄ５０（個数基準）が０．５〜３．５μｍの範囲にある、請求項１１〜１４のいずれか１項に記載の方法。
【請求項１６】
前記粉砕機が乾式粉砕機である、請求項１１〜１５のいずれか１項に記載の方法。
【請求項１７】
前記ローターの少なくとも１つがブレードローターである、請求項１１〜１６のいずれか１項に記載の方法。
【請求項１８】
回収された前記色素製剤が、ａ）３．５バールの圧力下、乾燥状態においてレーザー粒径分析器で測定した場合に、Ｄ２０が０．８ミクロン以上でありかつＤ９０が５ミクロン以下である粒子を有する自由流動性粉末、または、ｂ）３．５バールの圧力下、乾燥状態においてレーザー粒径分析器で測定した場合に、Ｄ２０が１０ミクロン以上でありかつＤ９０が１０００ミクロン以下である顆粒を有するマイクロ顆粒の形態である、請求項１１〜１７のいずれか１項に記載の方法。
【請求項１９】
回収された前記色素製剤が、６０〜５００μｍ、好ましくは８０〜３５０μｍの範囲の粒度分布を有するマイクロ顆粒の形態である、請求項１１〜１８のいずれか１項に記載の方法。
【請求項２０】
回収された前記色素製剤が、５０μｍ未満の粒度分布を有する自由流動性粉末の形態である、請求項１１〜１９のいずれか１項に記載の方法。
【手続補正２】
【補正対象書類名】明細書
【補正対象項目名】００１６
【補正方法】変更
【補正の内容】
【００１６】
一態様では、本発明は、下記のものを含む、本質的に下記のものからなる、または、下記のものからなる色素製剤に関する：
−色素親和性基（pigment-affinic groups）を有するワックス系粉末状加工添加剤、色素親和性基を有する酸性ポリエステル系添加剤、高い色素親和性の基を有する変性ポリエーテル、スチレンとポリエーテルのコポリマー、マレイン酸のアミド、両親媒性コポリマー、高い色素親和性の基を有する変性ポリアクリレート、ポリエステル系ブロックコポリマー、高分子量ポリウレタンポリマー、ポリエステル−ポリアミン−ポリオレフィンターポリマー、および、エポキシ基またはウレタン基を有する変性ポリシロキサンからなる群から選択される少なくとも１種の分散湿潤剤（dispersing-wetting agent）であって、５０〜１５０℃の範囲の融点を有する上記少なくとも１種の分散湿潤剤、および
−無機顔料（inorganic pigment）、有機顔料（organic pigment）、カーボンブラックおよび染料（dyes）からなる群から選択される少なくとも１種の色素添加剤（pigmentary additive）、および
−任意的な添加剤、
ここで、色素製剤中の少なくとも１種の色素添加剤の粒径Ｄ５０（個数基準）は０．５〜３．５μｍの範囲にあり、かつ
色素製剤は、色素製剤の総重量に対し、少なくとも６０重量％の少なくとも１種の色素添加剤を含有する。
【手続補正３】
【補正対象書類名】明細書
【補正対象項目名】００３２
【補正方法】変更
【補正の内容】
【００３２】
好ましい態様において、本発明は、本発明による色素製剤に関連し、ここで、この色素製剤は、下記工程を含む方法により色素組成物（pigmentary composition）から得ることができる：
１）下記のものを含む、本質的に下記のものからなる、または、下記のものからなる色素組成物を粉砕機、好ましくは乾式粉砕機に導入すること：
−色素親和性基を有するワックス系粉末状加工添加剤、色素親和性基を有する酸性ポリエステル系添加剤、高い色素親和性の基を有する変性ポリエーテル、スチレンとポリエーテルのコポリマー、マレイン酸のアミド、両親媒性コポリマー、高い色素親和性の基を有する変性ポリアクリレート、ポリエステル系ブロックコポリマー、高分子量ポリウレタンポリマー、ポリエステル−ポリアミン−ポリオレフィンターポリマー、および、エポキシ基またはウレタン基を有する変性ポリシロキサンからなる群から選択される少なくとも１種の分散湿潤剤であって、５０〜１５０℃の範囲の融点を有する上記少なくとも１種の分散湿潤剤と、
−無機顔料、有機顔料、カーボンブラックおよび染料からなる群から選択される少なくとも１種の色素添加剤、および
−任意的な添加剤。
２）工程１）の色素組成物を混合しおよび粉砕すること。
３）そのようにして得られた色素製剤を自由流動性粉末またはマイクロ顆粒として取り出すこと。
【手続補正４】
【補正対象書類名】明細書
【補正対象項目名】００４２
【補正方法】変更
【補正の内容】
【００４２】
好ましくは、所与の色素製剤は、少なくとも３種類のプラスチック材料、例えば、ポリエチレン系ポリマー、ポリスチレン、ＳＡＮ、ＨＩＰＳ、ＡＢＳ、ＡＳＡ、塩化ビニルポリマー、ポリアクリレート、ポリアミド、ポリカーボネート、ポリエステル、ポリウレタンおよび熱可塑性エラストマーの少なくとも３種類を着色するのに適している。好ましくは、結果として得られる第１、第２および第３の混合物が０．５〜１重量％の色素添加剤を含むような、色素製剤と第１、第２および第３のポリマーとの第１、第２および第３の均一な混合物のそれぞれが、同じ組成を有するが各成分を個々に混合機に加えかつ当該成分を均一な混合物に混合することによって調製された混合物よりも、少なくとも２０％大きい、例えば２０〜５０％大きい着色力を示す。
【手続補正５】
【補正対象書類名】明細書
【補正対象項目名】００４３
【補正方法】変更
【補正の内容】
【００４３】
プラスチック材料は、例えば、ポリエチレン生成物（例えば、ＨＤＰＥ（高密度ポリエチレン）、ＬＤＰＥ（低密度ポリエチレン）、ＬＬＤＰＥ（直鎖状低密度ポリエチレン）、ＭＤＰＥ（中密度ポリエチレン）、ＥＶＡ（エチレンビニルアセテート）、ＥＶＯＨ（エチレンビニルアルコール））；ポリプロピレン生成物（例えば、ＰＰ（ポリプロピレン）、ＰＰコポリマー、ＥＰＲ（エチレンプロピレンゴム）、ＥＰＤＭ（エチレンプロピレンジエンモノマー（Ｍクラス）ゴム））；スチレン（例えば、ＰＳ（ポリスチレン）、ＳＡＮ（スチレン−アクリロニトリルコポリマー）、ＨＩＰＳ（耐衝撃性ポリスチレン）、ＡＢＳ（アクリロニトリルブタジエンスチレン）、ＡＳＡ（アクリル−スチレン−アクリロニトリルコポリマー））；塩化ビニルポリマー（例えば、ＰＶＣ（ポリ塩化ビニル）、非可塑化のものおよび可塑化のもの）；アクリル（例えば、ＰＭＭＡ（ポリ（メチルメタクリレート））、ポリアクリレート）；ポリアミド（例えば、ＰＡ６、ＰＡ６，６、ＰＡ１１、ＰＡ１２、およびそれらのコポリマー）；ポリカーボネートおよびその混合物（例えば、ＰＣ／ＡＢＳ（ポリカーボネート／アクリロニトリルブタジエンスチレン）、ＰＣ／ポリエステル）；ポリエステル（例えば、ＰＥＴ（ポリエチレンテレフタレート）、ＰＢＴ（ポリブチレンテレフタレート）、コポリエステル）；ポリウレタン（例えば、ＴＰＵ（熱可塑性ポリウレタン））；熱可塑性エラストマー（例えば、ＴＰＯ（熱可塑性オレフィン）、ＴＰＶ（熱可塑性加硫物））から選択される。ポリエチレンおよびポリプロピレン生成物は、メタロセン触媒を使用して、または、当業者に知られている他の重合方法を使用して得ることができる。
【手続補正６】
【補正対象書類名】明細書
【補正対象項目名】００４７
【補正方法】変更
【補正の内容】
【００４７】
したがって、一態様では、本発明は、下記のものを含む、本質的に下記のものからなる、または、下記のものからなる色素製剤に関する。
−色素親和性基を有するワックス系粉末状加工添加剤、色素親和性基を有する酸性ポリエステル系添加剤、高い色素親和性の基を有する変性ポリエーテル、スチレンとポリエーテルのコポリマー、マレイン酸のアミド、両親媒性コポリマー、高い色素親和性の基を有する変性ポリアクリレート、ポリエステル系ブロックコポリマー、高分子量ポリウレタンポリマー、ポリエステル−ポリアミン−ポリオレフィンターポリマー、および、エポキシ基またはウレタン基を有する変性ポリシロキサンからなる群から選択される少なくとも１種の分散湿潤剤であって、５０〜１５０℃の範囲の融点を有する上記少なくとも１種の分散湿潤剤、および
−無機顔料、有機顔料、カーボンブラックおよび染料からなる群から選択される少なくとも１種の色素添加剤、および
−任意的な添加剤、
ここで、色素製剤中の少なくとも１種の色素添加剤の粒径Ｄ５０（個数基準）は０．５〜３．５μｍの範囲にあり、かつ
色素製剤は、色素製剤の総重量に対し、少なくとも６０重量％の少なくとも１種の色素添加剤を含有する。
【手続補正７】
【補正対象書類名】明細書
【補正対象項目名】００７７
【補正方法】変更
【補正の内容】
【００７７】
より好ましくは、色素製剤は下記の工程を含む方法により得られうる。
１）下記のものを含む、本質的に下記のものからなる、または、下記のものからなる本発明による色素組成物を乾式粉砕機に導入すること；
−色素親和性基を有するワックス系粉末状加工添加剤、色素親和性基を有する酸性ポリエステル系添加剤、高い色素親和性の基を有する変性ポリエーテル、スチレンとポリエーテルのコポリマー、マレイン酸のアミド、両親媒性コポリマー、高い色素親和性の基を有する変性ポリアクリレート、ポリエステル系ブロックコポリマー、高分子量ポリウレタンポリマー、ポリエステル−ポリアミン−ポリオレフィンターポリマー、および、エポキシ基またはウレタン基を有する変性ポリシロキサンからなる群から選択される少なくとも１種の分散湿潤剤であって、５０〜１５０℃の範囲の融点を有する上記少なくとも１種の分散湿潤剤、および
−無機顔料、有機顔料、カーボンブラックおよび染料からなる群から選択される少なくとも１種の色素添加剤、
２）工程１）の成分を混合し、乾式粉砕すること、
３）そのようにして得られた色素製剤を自由流動性粉末またはマイクロ顆粒として取り出すこと。
【手続補正８】
【補正対象書類名】明細書
【補正対象項目名】０１００
【補正方法】変更
【補正の内容】
【０１００】
プラスチック材料は、例えば、ポリエチレン生成物（例えば、ＨＤＰＥ、ＬＤＰＥ、ＬＬＤＰＥ、ＭＤＰＥ、ＥＶＡ、ＥＶＯＨ、メタロセン触媒系から得られるとしても）；ポリプロピレン生成物（例えば、ＰＰ、メタロセンから得られたとしても、ＰＰコポリマー、ＥＰＲ、ＥＰＤＭ）；スチレン（例えば、ＰＳ、ＳＡＮ、ＨＩＰＳ、ＡＢＳ、ＡＳＡ）；塩化ビニルポリマー（例えば、ＰＶＣ、非可塑化のものおよび可塑化のもの）；アクリル（例えば、ＰＭＭＡ、ポリアクリレート）；ポリアミド（例えば、ＰＡ６、ＰＡ６，６、ＰＡ１１、ＰＡ１２、およびそれらのコポリマー）；ポリカーボネートおよびその混合物（例えば、ＰＣ／ＡＢＳ、ＰＣ／ポリエステル）；ポリエステル（例えば、ＰＥＴ、ＰＢＴ、コポリエステル）；ポリウレタン（例えば、ＴＰＵ）；熱可塑性エラストマー（例えば、ＴＰＯ、ＴＰＶ）から選択される。